(57)【要約】【課題】需要者の負担を増やさずにインセンティブを与える補償額を算出することができるようにする。【解決手段】ダイナミックプライシングを支援する支援装置２０は、時間帯ごとの電力価格に応じた需要計画を取得する電力需要量取得部２１２と、削減時間帯について電力価格を目標増額分だけ引き上げた場合における需要計画を取得し、目標増加分に、削減時間帯に対応する元の電力需要量を乗じて、需要者に支払う補償額を算出する補償額算出部２１７とを備える。
2014076784.tif 000002
【特許請求の範囲】
【請求項１】
需要者による電力需要量に応じて時間帯ごとの電力価格を変化させるダイナミックプライシングを支援する装置であって、
前記時間帯ごとの電力価格に応じた前記時間帯ごとの第１の電力需要量を取得する電力需要量取得部と、
ある時間帯である削減時間帯について前記電力価格を第１の金額から第２の金額に引き上げた場合における前記時間帯ごとの第２の電力需要量を取得し、前記第２の金額から前記第１の金額を引いた値である増加額に、前記削減時間帯に対応する前記第１の電力需要量を乗じて、前記需要者に支払う補償額を算出する補償額算出部と、
を備えることを特徴とするダイナミックプライシング支援装置。
【請求項２】
請求項１に記載のダイナミックプライシング支援装置であって、
前記第２の電力需要量が前記第１の電力需要量よりも大きい時間帯である移動先時間帯に対応する前記電力価格から前記第１の金額を引いた値と前記増加額との差である上昇差額を算出し、前記移動先時間帯に対応する前記第２の電力需要量から前記移動先時間帯に対応する前記第１の電力需要量を引いた量に前記上昇差額を乗じて、前記電力価格を変化させたことに伴うコストを算出する調整コスト算出部を備えること、
を特徴とするダイナミックプライシング支援装置。
【請求項３】
請求項１または２に記載のダイナミックプライシング支援装置であって、
前記需要者による需要の価格感応度を記憶する価格感応度記憶部と、
前記削減時間帯における前記電力需要量の削減量の目標値の入力を受け付け、前記削減量および前記価格感応度に応じて前記増加額を算出する削減値入力部と、
をさらに備えることを特徴とするダイナミックプライシング支援装置。
【請求項４】
需要者による電力需要量に応じて時間帯ごとの電力価格を変化させるダイナミックプライシングを支援する方法であって、
コンピュータが、
前記時間帯ごとの電力価格に応じた前記時間帯ごとの第１の電力需要量を取得するステップと、
ある時間帯である削減時間帯について前記電力価格を第１の金額から第２の金額に引き上げた場合における前記時間帯ごとの第２の電力需要量を取得し、前記第２の金額から前記第１の金額を引いた値である増加額に、前記削減時間帯に対応する前記第１の電力需要量を乗じて、前記需要者に支払う補償額を算出するステップと、
を実行することを特徴とするダイナミックプライシング支援方法。
【請求項５】
需要者による電力需要量に応じて時間帯ごとの電力価格を変化させるダイナミックプライシングを支援するためのプログラムであって、
コンピュータに、
前記時間帯ごとの電力価格に応じた前記時間帯ごとの第１の電力需要量を取得するステップと、
ある時間帯である削減時間帯について前記電力価格を第１の金額から第２の金額に引き上げた場合における前記時間帯ごとの第２の電力需要量を取得し、前記第２の金額から前記第１の金額を引いた値である増加額に、前記削減時間帯に対応する前記第１の電力需要量を乗じて、前記需要者に支払う補償額を算出するステップと、
を実行させるためのプログラム。
【発明の詳細な説明】
【技術分野】
【０００１】
本発明はダイナミックプライシングを支援する装置、方法およびプログラムに関する。
【背景技術】
【０００２】
電力の供給者側から需要者側の需要調整を促す需要応答（デマンドレスポンス、需要反応などとも呼ばれる。）により、電力需要のピークカットやピークシフトを実現しようとすることが行われている。たとえば特許文献１には、補償を与えて電力削減を行わせることが記載されている。
【先行技術文献】
【特許文献】
【０００３】
【特許文献１】特表２０１２−５１１３０１号公報
【発明の概要】
【発明が解決しようとする課題】
【０００４】
ところで、需要応答には、電力需要量に応じて電力価格を変動させることで需要者の電力利用の変化を促すダイナミックプライシングと呼ばれる手法がある。ダイナミックプライシングでは、電力価格を上げた場合には一方的に需要者の負担が増えることになるため、電力価格の上昇に伴う負担増についての補償を行うことが考えられる。しかしながら、補償額が少なければ需要者の負担が一方的に増えてしまい、補償額が多すぎれば需要を移動させるインセンティブが働かない。【０００５】
本発明は、このような背景を鑑みてなされたものであり、需要者の負担を増やさずにインセンティブを与える補償額を算出することのできる、ダイナミックプライシング支援装置、ダイナミックプライシング支援方法およびプログラムを提供することを目的とする。
【課題を解決するための手段】
【０００６】
上記課題を解決するための本発明の主たる発明は、需要者による電力需要量に応じて時間帯ごとの電力価格を変化させるダイナミックプライシングを支援する装置であって、前記時間帯ごとの電力価格に応じた前記時間帯ごとの第１の電力需要量を取得する電力需要量取得部と、ある時間帯である削減時間帯について前記電力価格を第１の金額から第２の金額に引き上げた場合における前記時間帯ごとの第２の電力需要量を取得し、前記第２の金額から前記第１の金額を引いた値である増加額に、前記削減時間帯に対応する前記第１の電力需要量を乗じて、前記需要者に支払う補償額を算出する補償額算出部と、を備えることとする。【０００７】
また、本発明のダイナミックプライシング支援装置は、前記第２の電力需要量が前記第１の電力需要量よりも大きい時間帯である移動先時間帯に対応する前記電力価格から前記第１の金額を引いた値と前記増加額との差である上昇差額を算出し、前記移動先時間帯に対応する前記第２の電力需要量から前記移動先時間帯に対応する前記第１の電力需要量を引いた量に前記上昇差額を乗じて、前記電力価格を変化させたことに伴うコストを算出する調整コスト算出部を備えるようにしてもよい。【０００８】
また、本発明のダイナミックプライシング支援装置は、前記需要者による需要の価格感応度を記憶する価格感応度記憶部と、前記削減時間帯における前記電力需要量の削減量の目標値の入力を受け付け、前記削減量および前記価格感応度に応じて前記増加額を算出する削減値入力部と、をさらに備えるようにしてもよい。【０００９】
また、本発明の他の態様は、需要者による電力需要量に応じて時間帯ごとの電力価格を変化させるダイナミックプライシングを支援する方法であって、コンピュータが、前記時間帯ごとの電力価格に応じた前記時間帯ごとの第１の電力需要量を取得するステップと、ある時間帯である削減時間帯について前記電力価格を第１の金額から第２の金額に引き上げた場合における前記時間帯ごとの第２の電力需要量を取得し、前記第２の金額から前記第１の金額を引いた値である増加額に、前記削減時間帯に対応する前記第１の電力需要量を乗じて、前記需要者に支払う補償額を算出するステップと、を実行することとする。【００１０】
また、本発明の他の態様は、需要者による電力需要量に応じて時間帯ごとの電力価格を変化させるダイナミックプライシングを支援するためのプログラムであって、コンピュータに、前記時間帯ごとの電力価格に応じた前記時間帯ごとの第１の電力需要量を取得するステップと、ある時間帯である削減時間帯について前記電力価格を第１の金額から第２の金額に引き上げた場合における前記時間帯ごとの第２の電力需要量を取得し、前記第２の金額から前記第１の金額を引いた値である増加額に、前記削減時間帯に対応する前記第１の電力需要量を乗じて、前記需要者に支払う補償額を算出するステップと、を実行させることとする。【００１１】
その他本願が開示する課題やその解決方法については、発明の実施形態の欄及び図面により明らかにされる。
【発明の効果】
【００１２】
本発明によれば、需要者の負担を増やさずにインセンティブを与える補償額を算出することができる。
【図面の簡単な説明】
【００１３】
【図１】電力需要に係るピークシフトを説明する図である。
【図２】本実施形態のダイナミックプライシング支援システムの全体構成の一例を示す図である。
【図３】需要計画装置１０、支援装置２０および価格提供装置４０を実現するコンピュータのハードウェア構成例を示す図である。
【図４】価格提供装置４０のソフトウェア構成例を示す図である。
【図５】電力価格記憶部４３１の構成例を示す図である。
【図６】需要計画装置１０のソフトウェア構成例を示す図である。
【図７】需要計画記憶部１３２の構成例を示す図である。
【図８】支援装置２０のソフトウェア構成例を示す図である。
【図９】需要計画記憶部２３２の構成例を示す図である。
【図１０】価格感応度を説明する図である。
【図１１】価格感応度記憶部２３３の構成例を示す図である。
【図１２】価格感応度の作成処理の流れを示す図である。
【図１３】調整コストの算出処理の流れを示す図である。
【図１４】支援装置２０において表示される画面例を示す図である。
【発明を実施するための形態】
【００１４】
＝＝概要＝＝
本発明の一実施形態に係るダイナミックプライシング支援システムは、時間帯ごとの電力需要量に応じて時間帯ごとの電力価格を調整することにより、電力需要の移動、いわゆるピークシフトを実現させるダイナミックプライシングを支援するものである。本実施形態では、電力価格を下げることはせず、電力価格を上げることにより需要の移動（電力を使用する時間帯の変更）を促すものとし、電力価格の上昇分を補償することにより需要者の負担を増加させないようにする。また、本実施形態では、価格の増加額と補償額とからピークシフトにかかるコスト（以下、調整コストという。）を算出して、電力価格の増加額または需要量の削減量を決定する支援を行う。
【００１５】
＝＝ピークシフトの説明＝＝
図１は電力需要に係るピークシフトを説明する図である。図１（ａ）に示すように時間帯ｔ３の電力価格（￥／ｋＷｈ）が他の時間帯に比べて安いことから、図１（ｂ）に示すように時間帯ｔ３の電力需要量（ｋＷｈ）が多くなっている。ここで図１（ｃ）の矢印１に示すようにｔ３の電力価格をｐ１からｐ２に増額したとすると、時間帯ｔ１の電力価格ｐ３の方がｔ３の電力価格ｐ２よりも安価になり、需要者がｔ１に電力を使用するように需要を移動することが促される。図１（ｄ）に示すように、ｔ３の需要量のうち移動量ｖ１がｔ１に移動したとすると、需要者の電力料金は、ｔ３については、移動しなかったｔ３の電力需要量ｖ２に増額分ｄ１（＝ｐ２−ｐ１）を乗じた金額だけ負担が増加し、需要の移動先のｔ１についても、増額前のｔ３の電力価格ｐ１とｔ１の電力価格ｐ３との価格差ｄ２（＝ｐ３−ｐ１）に移動量ｖ１を乗じた金額だけ増加することになる。すなわち、増加額は次式（Ｅ１）により算出される。
【００１６】
負担増加額＝ｄ２×ｖ１＋ｄ１×ｖ２  ・・・（Ｅ１）
ここで、電力価格の上昇分を補償することにより実質的に需要者の負担を増加させることなくピークシフトを行わせるようにする。このため、補償額は負担増加額よりも高額になる。もっとも、あまり高額な補償を行っても需要の移動のインセンティブが働かなくなる。そこで、本実施形態では、ダイナミックプライシングによる電力価格の増額前の需要量に、電力価格の増額分を乗じた金額を補償額とする。すなわち、補償額は次式（Ｅ２）により算出される。
【００１７】
補償額＝ｄ１×（ｖ１＋ｖ２）  ・・・（Ｅ２）
本実施形態では、需要の移動は合理的に行われることを想定している。すなわち、ｐ３＜ｐ２であり、したがってｄ２＜ｄ１となり、これにより負担増加額＜補償額となる。この差が調整コストとなる。調整コストは次式Ｅ３で表される。
【００１８】
調整コスト＝補償額−負担増加額＝（ｄ１−ｄ２）×ｖ１  ・・・（Ｅ３）
よって、需要者の負担増加はなく、その一方で、調整コストが需要者にとっては需要移動のインセンティブとして働くことになる。
【００１９】
＝＝システム構成＝＝
図２は、本実施形態のダイナミックプライシング支援システムの全体構成の一例を示す図である。ダイナミックプライシング支援システムは、需要計画装置１０、支援装置２０および価格提供装置４０を含んで構成される。
【００２０】
需要計画装置１０、支援装置２０および価格提供装置４０は通信ネットワーク３０を介して互いに通信可能に接続される。通信ネットワーク３０は、たとえば公衆電話回線網や専用電話回線網、携帯電話回線網、電力線通信網、イーサネット（登録商標）、無線通信路などにより構築される、インターネットやＬＡＮ（Local Area Network）などである。
【００２１】
価格提供装置４０および支援装置２０は、電力会社が運営する、たとえばパーソナルコンピュータやワークステーションなどのコンピュータである。
【００２２】
価格提供装置４０は、時間帯ごとの電力価格を提供する。なお、本実施形態では、全ての需要者に対して同じ電力価格が提供されるものとする。
【００２３】
支援装置２０は、時間帯ごとの電力価格を決定する支援を行う。支援装置２０は、時間帯ごとの電力価格のパターンをいくつか準備し、各パターンを需要計画装置１０に与えて需要計画を計算させ、計算させた需要計画に基づいて、需要者に支払う補償額およびピークシフトに係るコスト（以下、調整コストという。）を算出する。
【００２４】
需要計画装置１０は、需要者ごとに設置されるコンピュータである。需要計画装置１０は、たとえば、貯湯温水器の温度制御を行う制御装置や、蓄電池への充電制御を行う制御装置などである。需要計画装置１０は、時間帯ごとの電気料金と温水や蓄電力の使用量などに応じて電力需要量の計画（以下、単に需要計画という。）を作成する。なお、需要計画装置１０は、公知の手法により、たとえば、需要者による需要量に係る各種の条件を満たしつつ電力料金が最低となるように電力需要量を計画することができる。
【００２５】
＝＝ハードウェア＝＝
図３は、需要計画装置１０、支援装置２０および価格提供装置４０を実現するコンピュータのハードウェア構成例を示す図である。コンピュータは、ＣＰＵ１０１、メモリ１０２、記憶装置１０３、通信インタフェース１０４、入力装置１０５、出力装置１０６を備える。記憶装置１０３は、各種のデータやプログラムを記憶する、例えばハードディスクドライブやソリッドステートドライブ、フラッシュメモリなどである。ＣＰＵ１０１は記憶装置１０３に記憶されているプログラムをメモリ１０２に読み出して実行することにより各種の機能を実現する。通信インタフェース１０４は、通信ネットワーク３０に接続するためのインタフェースであり、例えば、イーサネット（登録商標）に接続するためのアダプタ、公衆電話回線網に接続するためのモデム、無線通信網に接続するための無線通信機などである。入力装置１０５は、データの入力を受け付ける、例えばキーボードやマウス、トラックボール、タッチパネル、マイクロフォンなどである。出力装置１０６は、データを出力する、例えばディスプレイやプリンタ、スピーカなどである。コンピュータは複数の入力装置１０５及び出力装置１０６を備えていてもよい。
【００２６】
＝＝価格提供装置４０＝＝
図４は、価格提供装置４０のソフトウェア構成例を示す図である。価格提供装置４０は、電力価格入力部４１１、電力価格提供部４１２および電力価格記憶部４３１を備える。価格提供装置４０において、電力価格入力部４１１および電力価格提供部４１２は、ＣＰＵ１０１が記憶装置１０３に記憶されているプログラムをメモリ１０２に読み出して実行することにより実現され、電力価格記憶部４３１は、メモリ１０２および記憶装置１０３が提供する記憶領域の一部として実現される。
【００２７】
図５は、電力価格記憶部４３１の構成例を示す図である。図５に示すように、電力価格記憶部４３１は時間帯ごとの電力価格を記憶する。本実施形態では、一例として、時間帯の長さは１時間であり、２４の時間帯に電力価格が記憶されるものとし、電力価格の単位は円／ｋＷｈであるものとする。
【００２８】
電力価格入力部４１１は、時間帯ごとの電力価格の入力を受け付け、受け付けた時間帯別の電力価格を電力価格記憶部４３１に登録する。なお、電力価格入力部４１１は、たとえば、入力装置１０５から直接電力価格の入力を受け付けるようにしてもよいし、電力価格を設定するためのコマンド（以下、電力価格設定要求という。）を受信し、電力価格設定要求に含まれている時間帯別の電力価格を電力価格記憶部４３１に登録するようにしてもよい。
【００２９】
電力価格提供部４１２は、電力価格記憶部４３１に記憶されている時間帯ごとの電力価格を提供する。電力価格提供部４１２は、電力価格を取得するためのコマンド（以下、電力価格取得要求という。）を需要計画装置１０や支援装置２０などの外部装置から受信したことに応じて、電力価格記憶部４３１から時間帯ごとの電力価格を読み出し、読み出した電力価格を電力価格取得要求の送信元に応答する。なお、電力価格提供部４１２は、予め定められた需要計画装置１０および支援装置２０に対して、定期的に時間帯ごとの電力価格を送信するようにしてもよい。
【００３０】
＝＝需要計画装置１０＝＝
図６は、需要計画装置１０のソフトウェア構成例を示す図である。需要計画装置１０は、電力価格取得部１１１、需要計画作成部１１２、需要計画送信部１１３、機器制御部１１４、電力価格記憶部１３１および需要計画記憶部１３２を備える。なお、電力価格取得部１１１、需要計画作成部１１２、需要計画送信部１１３および機器制御部１１４は、需要計画装置１０の備えるＣＰＵ１０１が記憶装置１０３に記憶されているプログラムをメモリ１０２に読み出して実行することにより実現され、電力価格記憶部１３１および需要計画記憶部１３２は、メモリ１０２および記憶装置１０３が提供する記憶領域の一部として実現される。
【００３１】
電力価格取得部１１１は、時間帯ごとの電力価格を取得する。電力価格取得部１１１は、価格提供装置４０に電力価格取得要求を送信し、電力価格取得要求に応じて送信される時間帯ごとの電力価格を受信することにより時間帯ごとの電力価格を取得するものとする。なお、電力価格取得部１１１は、需要者から電力価格の入力を受け付けるようにしてもよい。また、電力価格取得部１１１は、定期的に価格提供装置４０から送信される時間帯別の電力価格を受信するようにしてもよい。電力価格取得部１１１は、取得した時間帯ごとの電力価格を電力価格記憶部１３１に登録する。電力価格記憶部１３１の構成は、上述した価格提供装置４０の電力価格記憶部４３１と同じである。
【００３２】
また、電力価格取得部１１１は、需要計画を試作するように指示するコマンド（以下、需要計画試作要求という。）を支援装置２０から受信した場合には、需要計画試作要求に含まれている時間帯ごとの電力価格は電力価格記憶部１３１には登録しないようにする。需要計画試作要求には時間帯ごとの電力価格が含まれているものとする。
【００３３】
需要計画作成部１１２は、時間帯ごとの電力需要量を計画する。需要計画作成部１１２は、電力価格取得部１１１が時間帯ごとの電力価格を取得したことを契機として需要計画を作成する。需要計画作成部１１２は、たとえば、過去の実績値に基づいて需要者による温水の利用量や蓄電池からの放電量を予測し、所定の条件（たとえば温水器の貯湯量の最低量、貯湯温度の最低温度、蓄電量の最低値など）を満たす範囲で、電力料金が最低となるように加熱計画や充電計画などを作成することにより、電力の使用計画（すなわち電力の需要計画）を作成することができる。なお、需要計画作成部１１２による電力需要の計画処理については公知の手法を用いるものとする。需要計画作成部１１２は、作成した需要計画を需要計画記憶部１３２に登録する。電力価格取得部１１１が需要計画試作要求を受信した場合には、需要計画作成部１１２は、作成した需要計画を需要計画記憶部１３２に登録しないようにする。図７は、需要計画記憶部１３２の構成例を示す図である。図７に示すように、需要計画記憶部１３２は、時間帯ごとの電力需要量を記憶する。
【００３４】
需要計画送信部１１３は、需要計画作成部１１２が作成した需要計画を送信する。需要計画送信部１１３は、支援装置２０から、需要計画を取得するためのコマンド（以下、需要計画取得要求という。）を受信した場合に、需要計画取得要求に応じて需要計画記憶部１３２に記憶されている時間帯ごとの需要量を支援装置２０に送信する。なお、需要計画送信部１１３は、価格提供装置４０に需要計画を送信するようにしてもよい。
【００３５】
機器制御部１１４は、需要計画に応じて需要機器（たとえば温水器や充電器など）を制御する。機器制御部１１４は、需要計画記憶部１３２に記憶されている需要量だけの電力を１時間（時間帯の長さ）で使用するように、たとえば貯水の加熱や蓄電池への充電を行うように、需要機器を制御するものとする。
【００３６】
＝＝支援装置２０＝＝
図８は、支援装置２０のソフトウェア構成例を示す図である。支援装置２０は、電力価格取得部２１１、電力需要量取得部２１２、価格パターン作成部２１３、価格感応度作成部２１４、削減値入力部２１５、補償額算出部２１６、調整コスト算出部２１７、電力価格記憶部２３１、需要計画記憶部２３２、および価格感応度記憶部２３３を備える。なお、電力価格取得部２１１、電力需要量取得部２１２、価格パターン作成部２１３、価格感応度作成部２１４、削減値入力部２１５、補償額算出部２１６および調整コスト算出部２１７は、支援装置２０において、ＣＰＵ１０１が記憶装置１０３に記憶されているプログラムをメモリ１０２に読み出して実行することにより実現され、電力価格記憶部２３１、需要計画記憶部２３２および価格感応度記憶部２３３は、メモリ１０２および記憶装置１０３が提供する記憶領域の一部として実現される。
【００３７】
電力価格取得部２１１は、時間帯ごとの電力価格を取得する。電力価格取得部２１１は、需要計画装置１０の電力価格取得部１１１と同様に、価格提供装置４０に電力価格取得要求を送信し、電力価格取得要求に応じて送信される時間帯ごとの電力価格を受信することにより時間帯ごとの電力価格を取得するものとし、定期的に価格提供装置４０から電力価格を受信するようにしてもよいし、オペレータから電力価格の入力を受け付けるようにしてもよい。電力価格取得部２１１は、取得した時間帯ごとの電力価格を電力価格記憶部１３１に登録する。電力価格記憶部２３１の構成は、上述した価格提供装置４０の電力価格記憶部４３１と同じである。
【００３８】
需要計画記憶部２３２は、需要者を特定する情報（以下、需要者ＩＤという。）に対応付けて、当該需要者による需要計画を記憶する。図９は、需要計画記憶部２３２の構成例を示す図である。同図に示すように、需要計画記憶部２３２は、需要者ＩＤに対応付けて、時間帯ごとの電力需要量を記憶することになる。
【００３９】
電力需要量取得部２１２は、需要計画装置１０から時間帯ごとの電力需要量を含む需要計画を取得する。電力需要量取得部２１２は、需要計画取得要求を各需要計画装置１０に送信し、需要計画取得要求に応じて需要計画装置１０から送信される時間帯ごとの電力需要量を受信する。電力需要量取得部２１２は、取得した需要計画を、需要者を特定する需要者ＩＤに対応付けて需要計画記憶部２３２に登録する。
【００４０】
価格感応度記憶部２３３は、電力価格の変化に対する需要者の反応の度合い（価格感応度と呼ばれる。）を記憶する。本実施形態では、電力需要量の変化量に応じて価格の増加額を決定する関数として価格感応度が作成されるものとする。図１０は価格感応度を説明する図である。図１０に示すように、需要の減少分（ｖ１）が決まれば、価格の増分（ｄ１）が決定することになる。価格感応度は需要者によって異なるが、本実施形態では、価格感応度は全需要者の平均であるものとする。図１１は、価格感応度記憶部２３３の構成例を示す図である。同図に示すように、価格感応度記憶部２３３は、所定のステップ値ごとの電力価格の増分に対応付けて、電力価格を当該増分だけ上げた場合に削減される需要量の削減分を記憶する。
【００４１】
価格感応度作成部２１４は、価格感応度を求める。価格感応度作成部２１４は、時間帯ごとの電力価格のパターン（以下、価格パターンという。）を複数作成し、作成した価格パターンのそれぞれについて、当該価格パターンを含む需要計画試作要求を需要計画装置１０に送信して、需要計画装置１０から応答される需要計画に基づいて価格感応度を作成する。価格パターンのそれぞれには、時間帯ごと（０〜２３時までの１時間ごと）の電力価格が含まれる。価格感応度作成部２１４は、所定の最低額（たとえば０円などの任意の非負の値とすることができる。）から所定の最高額（たとえば、１０円や１００円など任意の非負の値であり、最低額よりも高い金額とすることができる。）まで所定のステップ値（任意の正の実数とすることができるが、本実施形態では整数であるものとする。）ごとに各時間帯の電力価格を変化させて電力価格のパターンを作成することができる。本実施形態では、電力価格の増額分にのみ着目することから、電力価格記憶部２３１に記憶されている電力価格から最高額までの上記ステップ値ごとの電力価格について電力需要量を取得して、図１０の第４象限部分についてのみ価格感応度を作成するものとする。
【００４２】
図１２は、価格感応度の作成処理の流れを示す図である。価格感応度作成部２１４は、各需要者および各時間帯について以下の処理を行う。
【００４３】
価格感応度作成部２１４は、当該時間帯の電力価格を電力価格記憶部２３１から読み出して元価格とし（Ｓ５０１）、当該時間帯の需要量を需要計画記憶部２３２から読み出して元需要量とし（Ｓ５０２）、価格の増加分Δｐに所定のステップ値を設定する（Ｓ５０３）。価格感応度作成部２１４は、時間帯ごとの電力価格を電力価格記憶部２３１から読み出して価格セットとし（Ｓ５０４）、価格セットの当該時間帯の電力価格にΔｐを加算する（Ｓ５０５）。価格感応度作成部２１４は、価格セットの当該時間帯の電力価格が所定の最高額以下である間以下の処理を行う。
【００４４】
価格感応度作成部２１４は、価格セットを含めた需要計画試作要求を各需要計画装置１０に送信し（Ｓ５０６）、需要計画試作要求に応じて各需要計画装置１０から送信される需要計画を受信して（Ｓ５０７）、受信した需要計画における当該時間帯の需要量と元需要量との差の平均値を算出して、当該需要者、当該時間帯およびΔｐに対応する削減量とする（Ｓ５０８）。価格感応度作成部２１４は、Δｐにステップ値を加算するとともに（Ｓ５０９）、価格セットにおける当該時間帯の電力価格にもステップ値を加算する（Ｓ５１０）。
【００４５】
以上の処理を繰り返した後、価格感応度作成部２１４は、Δｐごとに削減量の平均値を算出し（Ｓ５１１）、各Δｐに対応付けて、算出した削減量の平均値を価格感応度記憶部２３３に登録する（Ｓ５１２）。また、価格感応度作成部２１４は、０の増加分に対応付けて０の削減量を価格感応度記憶部２３３に登録する（Ｓ５１３）。
【００４６】
以上のようにして、価格感応度作成部２１４は価格感応度を算出して価格感応度記憶部２３３に登録する。
【００４７】
削減値入力部２１５は、指定された時間帯（以下、削減時間帯という。）についての電力需要量の削減量の目標値（以下、目標削減量という。）の指定を受け付ける。削減値入力部２１５は、受け付けた目標削減量を実現するための電力価格の増額分（以下、目標増額分という。）を価格感応度記憶部２３３から取得する。削減値入力部２１５は、需要量削減分が目標削減量よりも大きい価格増額分のうち最も少額のものを目標増額分として取得することができる。なお、削減値入力部２１５は、需要計画記憶部２３２に記憶されている需要量の合計値が所定の電力需要量の最大値を超えた時間帯を特定し、当該需要量の合計値と最大値との差を目標削減量として自動計算するようにしてもよい。また、削減値入力部２１５は、目標増額分の入力を受け付けるようにしてもよい。
【００４８】
補償額算出部２１６は、ダイナミックプライシングにともない需要者に支払う補償額を算出する。補償額算出部２１６は、上述した式Ｅ２により補償額を算出する。すなわち、補償額算出部２１６は、需要計画記憶部２３２から削減時間帯に対応する需要量の合計値を算出し、算出した合計値に目標増額分を乗じて補償額を算出する。
【００４９】
調整コスト算出部２１７は、調整コストを算出する。調整コスト算出部２１７は、上述した式Ｅ３により調整コストを算出する。図１３は、調整コストの算出処理の流れを示す図である。
【００５０】
調整コスト算出部２１７は、需要計画記憶部２３２に記憶されている需要量を時間帯ごとに合計して元総需要計画とする（Ｓ５２１）。元総需要計画に含まれる時間帯ごとの需要量の合計値を元需要量という。調整コスト算出部２１７は、電力価格記憶部２３１から時間帯ごとの電力価格を読み出して価格セットとし（Ｓ５２２）、削減時間帯に対応する価格セットの電力価格に目標増額分を加算する（Ｓ５２３）。
【００５１】
調整コスト算出部２１７は、価格セットを含む需要計画試作要求を各需要計画装置１０に送信し（Ｓ５２４）、各需要計画装置１０から需要計画を受信する（Ｓ５２５）。調整コスト算出部２１７は、各需要計画装置１０から受信した需要計画について、時間帯ごとの需要量を合計して新総需要計画とする（Ｓ５２６）。新総需要計画に含まれる時間帯ごとの需要量の合計値を新需要量という。調整コスト算出部２１７は、削減時間帯の元需要量から削減時間帯の新需要量を引いてｖ２を算出し（Ｓ５２７）、目標増額分にｖ２を乗じて負担増加額とする（Ｓ５２８）。
【００５２】
調整コスト算出部２１７は、新需要量が元需要量よりも大きい時間帯のそれぞれについて、電力価格記憶部２３１から、当該時間帯の電力価格と削減時間帯の電力価格とを読み出し（Ｓ５２９）、読み出した電力価格の差をｄ２とする（Ｓ５３０）。調整コスト算出部２１７は、新需要量と元需要量との差をｖ１として（Ｓ５３１）、ｄ２にｖ１を乗じた金額を負担増加額に加算する（Ｓ５３２）。
【００５３】
調整コスト算出部２１７は、補償額算出部２１６が算出した補償額から、上記のようにして算出した負担増加額を減じて調整コストを算出する（Ｓ５３３）。
【００５４】
＝＝画面例＝＝
図１４は、支援装置２０において表示される画面例を示す図である。画面６１には、需要計画記憶部２３２に記憶されている需要量を時間帯別に集計したグラフ６１１が表示されている。所定の最大値を超えた時間帯の需要量については色や幅などを変化させて表示してもよい。画面６１は削減時間帯を選択するためのプルダウンリスト６１２と、目標削減量を入力するためのテキストボックス６１３とを備える。プルダウンリスト６１２において時間帯が選択され、テキストボックス６１３に目標削減量が入力されて、ボタン６１４が押下されると、削減値入力部２１５は、価格感応度記憶部２３３から、需要量削減分が目標削減量よりも大きい価格増額分のうち最も少額のものを目標増額分として取得し、補償額算出部２１６は、上述した式Ｅ２により補償額を算出する。また、調整コスト算出部２１７は、上述した図１３の処理により調整コストを算出する。そして、テキストボックス６１３に入力された目標削減量６２１と、削減値入力部２１５が取得した目標増額分６２２と、補償額算出部２１６が算出した補償額６２３と、調整コスト算出部２１７が算出した調整コスト６２４とを含む画面６２が表示される。
【００５５】
＝＝効果例＝＝
以上説明したように、本実施形態のダイナミックプライシング支援システムによれば、削減時間帯（図１のｔ３）における元の需要量（ｖ１＋ｖ２）に、目標増額分（ｄ１）を乗じた金額を補償額として算出しているので、この補償額を需要者に支払うことにより、需要者に負担をかけないようにする一方で、増額後の削減時間帯の電力価格（ｐ２）よりも安価な時間帯（ｔ１）が存在する場合には、ｔ１に需要を移動させようとするインセンティブが働くようにすることができる。
【００５６】
また、ｔ３からｔ１に需要が移動したことによる収益価格の下落分（ｄ１−ｄ２）に応じた収益源が調整コストとなるところ、この調整コストを図１４に示す画面６２のように出力しているので、価格の設定者は、ダイナミックプライシングに係る電力価格の設定による調整コストと、発電コストなどを比較しながら価格の調整を行うかどうかを判断することができる。
【００５７】
また、本実施形態では、価格感応度を用いて目標削減量から目標増額分を決定しているので、ダイナミックプライシングにおいて妥当な価格を容易に決定することができる。また、需要者の価格感応度に応じて価格増分を決定することができるので、合理的な価格調整を行うことが可能となる。
【００５８】
また、本実施形態では、需要計画装置１０に問い合わせを行いながら価格感応度を調査することができる。したがって、正確な価格感応度を求めることができる。また、この正確な価格感応度に応じて、目標削減量から目標増額分を求めることができるので、ダイナミックプライシングにあたり電力価格の増加額を合理的に決定することが可能となる。
【００５９】
＝＝変形例＝＝
本実施形態では、支援装置２０と価格提供装置４０とが別の装置であるものとしたが、支援装置２０と価格提供装置４０とを１台のコンピュータにより、または複数台のコンピュータにより構成される仮想的な１台のコンピュータにより実現するようにしてもよい。
【００６０】
また、本実施形態では、需要者ごとの需要計画装置１０が設置されるものとしたが、複数の需要者ごとに１つ設けるようにしてもよいし、複数の需要者ごとに複数を割り当てるように設置してもよい。また、たとえば、家庭内の家電製品ごとに需要計画を行う場合など、需要者ごとに複数の需要計画装置１０を設けるようにしてもよい。
【００６１】
また、本実施形態では、削減時間帯における電力価格を上げた場合のシミュレーションを行うものとしたが、実際の電力価格を調整する電力価格調整部を支援装置２０が備えるようにしてもよい。この場合、画面６２から価格増加の承認の入力を受け付けるようにし、この承認に応じて電力価格記憶部４３１の価格を更新することで、電力価格提供部４１２が更新された価格を需要計画装置１０に送信するようにすることができる。
【００６２】
また、季節や月などの期間を指定して時間帯ごとの電力価格を設けるようにし、期間を指定した時間帯ごとの電力価格を需要計画装置１０に提供するようにしてもよい。この場合、将来の発電コストの上昇が見込まれるような場合において、発電コストの上昇が見込まれる時期をしてした電力価格を先に提供しておくことができる。これにより、需要者側でも需要の移動を予め想定し、たとえば電気機器の稼働に必要な人的資源等を予め手配しておくことができる。
【００６３】
また、曜日や月における所定の日（毎月５日など）についての電力価格が異なるようにしてもよい。
【００６４】
また、本実施形態では、時間帯の長さは１時間であるものとしたが、これに限らず、たとえば２時間、３時間など任意の長さとすることができる。また時間帯の長さを可変としてもよい。
【００６５】
また、本実施形態では、需要計画装置１０から需要計画を取得するものとしたが、これに限らず、電力需要の過去の実績値を記憶するようにし、過去の実績値から需要計画を予測するようにしてもよい。
【００６６】
また、本実施形態では、削減時間帯を指定するものとしたが、これに限らず、たとえば、需要を移動させたい先の時間帯（以下、移動先時間帯という。）を指定するようにしてもよい。この場合、削減値入力部２１５は、移動先時間帯の電力価格よりも低い時間帯のうち、移動先時間帯の需要量よりも多い時間帯の１つまたは複数を削減時間帯として特定し、特定した削減時間帯の電力価格を移動先時間帯の電力価格よりも高くなるように目標増額分を決定するようにしてもよい。その際にも、削減値入力部２１５は、価格感応度に応じて、目標削減量を実現するだけの目標増額分を決定することができる。
【００６７】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００６８】
１０  需要計画装置
２０  支援装置
３０  通信ネットワーク
４０  価格提供装置
１１１  電力価格取得部
１１２  需要計画作成部
１１３  需要計画送信部
１１４  機器制御部
１３１  電力価格記憶部
１３２  需要計画記憶部
２１１  電力価格取得部
２１２  電力需要量取得部
２１３  価格パターン作成部
２１４  価格感応度作成部
２１５  削減値入力部
２１６  補償額算出部
２１７  調整コスト算出部
２３１  電力価格記憶部
２３２  需要計画記憶部
２３３  価格感応度記憶部
４１１  電力価格入力部
４１２  電力価格提供部
４３１  電力価格記憶部
【図１】
2014076784.tif 000003
【図２】
2014076784.tif 000004
【図３】
2014076784.tif 000005
【図４】
2014076784.tif 000006
【図５】
2014076784.tif 000007
【図６】
2014076784.tif 000008
【図７】
2014076784.tif 000009
【図８】
2014076784.tif 000010
【図９】
2014076784.tif 000011
【図１０】
2014076784.tif 000012
【図１１】
2014076784.tif 000013
【図１２】
2014076784.tif 000014
【図１３】
2014076784.tif 000015
【図１４】
2014076784.tif 000016
【国際調査報告】
2014076784.tif 000017
2014076784.tif 000018
2014076784.tif 000019
2014076784.tif 000020